(57)【要約】【課題】２色以上で塗装されても目地の傾斜が目立ちにくい建築板を提供する。【解決手段】建築板１は、平板部２と、前記平板部２に設けられた複数の凸部３と、を備える。前記複数の凸部３は、直交する目地６で区画されている。前記複数の凸部３の少なくとも一部の凸部３は、意匠面３１と、前記意匠面３１に隣接する側面３２と、を含む。前記意匠面３１と前記側面３２との境界線４は、少なくとも直線状の境界線４１を含む。前記直線状の境界線４１は、前記直線状の境界線４１と隣接する前記目地６に対して、非平行となる区間４１１を含む。前記意匠面３１と、前記意匠面３１以外の部分とが塗り分けられている。【選択図】図１
2020139294.tif 000002
【特許請求の範囲】
【請求項１】
平板部と、前記平板部に設けられた複数の凸部と、を備え、
前記複数の凸部は、直交する目地で区画されており、
前記複数の凸部の少なくとも一部の凸部は、意匠面と、前記意匠面に隣接する側面と、を含み、
前記意匠面と前記側面との境界線は、少なくとも直線状の境界線を含み、
前記直線状の境界線は、前記直線状の境界線と隣接する前記目地に対して、非平行となる区間を含み、
前記意匠面と、前記意匠面以外の部分とが塗り分けられている、
建築板。
【請求項２】
隣り合う前記凸部の前記直線状の境界線同士が非平行である、
請求項１に記載の建築板。
【請求項３】
前記直線状の境界線は、前記直線状の境界線と隣接する前記目地に対して、非平行となる区間及び平行となる区間を含む、
請求項１又は２に記載の建築板。
【請求項４】
前記目地は、縦目地と、横目地とで構成され、
前記縦目地及び前記横目地の少なくともいずれかは、直線上に連なっていない、
請求項１〜３のいずれか１項に記載の建築板。
【請求項５】
前記非平行となる区間において、前記直線状の境界線と、前記直線状の境界線と隣接する前記目地とのなす角度が、前記目地の延びる方向に対して、−３度以上＋３度以下の範囲内である、
請求項１〜４のいずれか１項に記載の建築板。
【発明の詳細な説明】
【技術分野】
【０００１】
本発明は、一般に建築板に関し、より詳細には複数の凸部を備える建築板に関する。
【背景技術】
【０００２】
特許文献１には、表面に溝状の目地が設けられたセメント組成体（基材）の仕上げ方法が開示されている。この方法は、目地塗装工程と、マスキング工程と、表面塗装工程と、マスキング材除去工程と、を有している。
【先行技術文献】
【特許文献】
【０００３】
【特許文献１】特開２０１５−１４０５２２号公報
【発明の概要】
【発明が解決しようとする課題】
【０００４】
特許文献１には、基材として押出成形セメント板を用いてもよい旨が記載されている（段落［００３７］）。押出成形セメント板は、押出成形機によりセメント成形材料を押し出しながら、ローラーで化粧目地（以下、単に「目地」といい、縦目地及び横目地などがある）を設けた後、養生硬化して得られる。ローラーの外周には、周方向に横目地用の凸部が設けられ、回転軸方向に縦目地用の凸部が設けられている。
【０００５】
しかしながら、ローラーで目地を設けながら押出成形を行う場合、例えば、押出成形セメント板の幅方向に設計上延びる目地（縦目地）が幅方向に対して若干傾斜して延びることがある。
【０００６】
本発明者は、上記の原因の１つは、セメント成形材料を押し出す場合の幅方向における流速の違いにあると考える。すなわち、押出成形機によりセメント成形材料を所定幅で押し出す場合、幅方向（押し出す方向に対して垂直な方向）における中央部の流れが、幅方向における両端部の流れに比べて速くなりやすい。つまり、所定幅のセメント成形材料の幅方向の中央部から両端部に向かうほど流速が遅くなる。これに起因して特に押出成形セメント板の幅方向における目地が押出成形セメント板の幅方向に対して若干傾斜して見えるおそれがある。
【０００７】
押出成形セメント板が単色で塗装されている場合には、目地が傾斜して見えることはあまりないが、押出成形セメント板が２色以上で塗装されている場合、特に目地の色と凸部表面の色とが異なる色の場合には、目地の傾斜が分かりやすくなる。
【０００８】
本発明の目的は、２色以上で塗装されても目地の傾斜が目立ちにくい建築板を提供することにある。
【課題を解決するための手段】
【０００９】
本発明の一態様に係る建築板は、平板部と、前記平板部に設けられた複数の凸部と、を備える。前記複数の凸部は、直交する目地で区画されている。前記複数の凸部の少なくとも一部の凸部は、意匠面と、前記意匠面に隣接する側面と、を含む。前記意匠面と前記側面との境界線は、少なくとも直線状の境界線を含む。前記直線状の境界線は、前記直線状の境界線と隣接する前記目地に対して、非平行となる区間を含む。前記意匠面と、前記意匠面以外の部分とが塗り分けられている。
【発明の効果】
【００１０】
本発明によれば、２色以上で塗装されても目地の傾斜が目立ちにくい。
【図面の簡単な説明】
【００１１】
【図１】図１は、本発明の実施形態に係る建築板の要部の正面図である。
【発明を実施するための形態】
【００１２】
１．概要
本実施形態に係る建築板１は、押出成形機によりセメント成形材料を押し出しながら、目地形成用ローラーで目地６を設け、所定の大きさに切断し、養生硬化した後、塗装用ローラーで２色以上に塗装することにより得られる。
【００１３】
本実施形態に係る建築板１の特徴の１つは、図１に示すように、直線状の境界線４１が、直線状の境界線４１と隣接する目地６に対して、非平行となる区間４１１を含んでいる点である。このように、非平行となる区間４１１を意図的に含ませることによって、非平行となる区間４１１を全く含まない場合に比べて、目地６の傾斜を目立ちにくくすることができる。
【００１４】
２．詳細
図１に本実施形態に係る建築板１を示す。図１中のＤ１及びＤ２は直交する２方向を示す。Ｄ１は、建築板１の縦方向（押出成形の幅方向）を示し、Ｄ２は、建築板１の横方向（押出成形の押出方向）を示す。
【００１５】
建築板１は、外壁材等の外装材として用いられ、矩形状に形成されている。図１は、建築板１の屋外側を向く面の要部を示す。以下、この面を屋外から見た状態を平面視という場合がある。そして、上記の「非平行」とは、建築板１を平面視して境界線４１の延びる方向と隣接する目地６の延びる方向とが交差することをいう。
【００１６】
建築板１は、例えばセメント成形材料で形成されている。セメント成形材料としては、例えば、セメント及び補強繊維を主成分とする材料等の公知の材料が使用可能であり、特に限定されない。
【００１７】
建築板１は、平板部２と、複数の凸部３と、を備える。複数の凸部３は、平板部２の表面に設けられている。平板部２と、複数の凸部３とは、一体に形成されている。
【００１８】
複数の凸部３は、直交する複数の目地６で区画されている。目地６は、縦目地６１と、横目地６２とを含む。縦目地６１は、建築板１の縦方向Ｄ１の目地であり、横目地６２は、建築板１の横方向Ｄ２の目地である。
【００１９】
好ましくは、縦目地６１及び横目地６２の少なくともいずれかは、直線上に連なっていない。図１では、縦目地６１は、一本の直線上に連なっていない。横目地６２は、一本の直線上に連なっている。より具体的には、複数の横目地６２が縦方向に間隔をあけて互いにほぼ平行に延びており、各横目地６２は横方向全体にわたって直線上に連続して延びている。また、各横目地６２から横方向に間隔をあけて複数の縦目地６１が縦方向両側に延びている。そして、上記の「縦目地６１は、一本の直線上に連なっていない」とは、横目地６２から縦方向両側に延びる縦目地６１の横方向の位置が一致しないことをいう。このような目地配置によって、図１に示すように、複数の凸部３が横方向に直線上に並んで凸部列を構成し、この凸部列が縦方向に複数並んでいる。そして、縦方向に隣り合う凸部列において、一方の凸部列内の縦目地６１の横方向の位置と他方の凸部列内の縦目地６１の横方向の位置とが一致していない。ここで、「縦目地６１の横方向の位置」とは、縦目地６１の幅方向中心線の位置をいい、縦方向に隣り合う縦目地６１が横方向において一部重なる場合も含む。このように、縦目地６１が一本の直線上に連なっておらず、縦方向において分断されていることによって、一本の直線上に連なっている場合に比べて、縦目地６１の傾斜が更に目立ちにくくなる。
【００２０】
図示省略しているが、縦目地６１が一本の直線上に連なり、横目地６２が一本の直線上に連なっていなくてもよい。この場合には、横目地６２が一本の直線上に連なっていないことによって、一本の直線上に連なっている場合に比べて、横目地６２の傾斜が更に目立ちにくくなる。
【００２１】
同様に図示省略しているが、縦目地６１及び横目地６２の両方が一本の直線上に連なっていなくてもよい。この場合には、目地６の傾斜が更に目立ちにくくなる。なお、この場合には、複数の凸部３の各々の大きさ（平面視での大きさ）が異なり得る。
【００２２】
複数の凸部３の少なくとも一部の凸部３は、意匠面３１と、側面３２と、を含む。意匠面３１は、矩形状の面である。図１では、意匠面３１を横長の矩形状に図示しているが、これには限定されない。意匠面３１には自然石等の様々なデザインが施されている。なお、意匠面３１と平板部２の表面との距離が目地６の深さに相当する。
【００２３】
側面３２は、意匠面３１に隣接している。側面３２は、意匠面３１の周囲に位置する。図１では、側面３２は、意匠面３１の四辺に位置している。側面３２は、平板部２の表面（目地６の底面）に対して傾斜していてもよいし、垂直であってもよい。図１では、一部の側面３２は、目地６の底面に対して傾斜しており、傾斜面となっている。なお、目地６の幅は、隣り合う凸部３，３において、平板部２の表面と側面３２との境界線同士の距離に相当する。
【００２４】
複数の凸部３の少なくとも一部の凸部３について、意匠面３１と側面３２との境界線４は、少なくとも直線状の境界線４１を含む。なお、側面３２の傾斜角度、すなわち、側面３２とそれに隣接する目地６の底面とのなす角度は、０度より大きく９０度未満が好ましく、より好ましくは２０度以上７０度以下である。
【００２５】
意匠面３１の部分と、意匠面３１以外の部分とは塗り分けられている。意匠面３１以外の部分とは、主として目地６の底面であり、側面３２も含み得る。建築板１が単色で塗装されると、目地６が傾斜して見えることはあまりないが、本実施形態では、建築板１が２色以上で塗装されても、次のようにして目地６の傾斜を目立ちにくくしている。
【００２６】
すなわち、本実施形態に係る建築板１においては、直線状の境界線４１は、直線状の境界線４１と隣接する目地６に対して、非平行となる区間４１１を含む。直線状の境界線４１の全体が非平行となる区間４１１でもよい。このように、非平行となる区間４１１を意図的に含ませることによって、非平行となる区間４１１を全く含まない場合に比べて、目地６の傾斜を目立ちにくくすることができる。図１では、縦目地６１の傾斜が目立ちにくくなっている。
【００２７】
好ましくは、隣り合う凸部３，３の直線状の境界線４１，４１同士が非平行である。例えば、図１では、隣り合う凸部３，３について、両者の非平行となる区間４１１，４１１同士が非平行となっている。これにより、目地６の傾斜が更に目立ちにくくなる。
【００２８】
また好ましくは、直線状の境界線４１は、直線状の境界線４１と隣接する目地６に対して、非平行となる区間４１１及び平行となる区間４１２を含む。これにより、目地６の傾斜が更に目立ちにくくなる。
【００２９】
さらに好ましくは、非平行となる区間４１１において、直線状の境界線４１と、直線状の境界線４１と隣接する目地６とのなす角度θ（図１参照）が、目地６の延びる方向に対して、−３度以上＋３度以下の範囲内である。角度θが上記の範囲内であることで、目地６の傾斜が更に目立ちにくくなる。
【００３０】
上記のような隣接する目地６に対して非平行な境界線４１を有する凸部３は、建築板１の縦方向中央部よりも両端部にあるのが好ましい。そして、非平行な境界線４１が縦方向外側ほど多く且つランダムにあるのが好ましい。この場合、押出方向の流速が縦方向外側ほど遅くなり、縦目地が傾斜して形成されており、この傾斜を目立ち難くするために縦方向外側ほど非平行な境界線４１が形成されているのが好ましいためである。
【００３１】
なお、非平行な境界線４１を有する凸部３の配置は、上記に限らず、押出方向における流速に基づいて定まる。例えば、押出機のスクリューが水平に２軸配置されている場合、これら２軸から離れるほど流速が遅くなるため、この２軸から離れた位置ほど非平行な境界線４１を有する凸部３が多く配置される。
【００３２】
３．変形例
上記実施形態では、凸部３が平面視で横方向に長い矩形状をなしているが、これに限定されず、平面視多角形状をなしていてもよい。
【００３３】
また、上記実施形態では、側面３２が三角形状をなしているが、これに限定されず、高矩形状（四角形、五角形など）であってもよい。
【００３４】
４．まとめ
上記実施形態から明らかなように、本発明は、下記の態様を含む。以下では、実施形態との対応関係を明示するためだけに、符号を括弧付きで付している。
【００３５】
第１の態様に係る建築板（１）は、平板部（２）と、前記平板部（２）に設けられた複数の凸部（３）と、を備える。前記複数の凸部（３）は、直交する目地（６）で区画されている。前記複数の凸部（３）の少なくとも一部の凸部（３）は、意匠面（３１）と、前記意匠面（３１）に隣接する側面（３２）と、を含む。前記意匠面（３１）と前記側面（３２）との境界線（４）は、少なくとも直線状の境界線（４１）を含む。前記直線状の境界線（４１）は、前記直線状の境界線（４１）と隣接する前記目地（６）に対して、非平行となる区間（４１１）を含む。前記意匠面（３１）と、前記意匠面（３１）以外の部分とが塗り分けられている。
【００３６】
この態様によれば、２色以上で塗装されても目地（６）の傾斜が目立ちにくい。
【００３７】
第２の態様に係る建築板（１）は、第１の態様において、隣り合う前記凸部（３）の前記直線状の境界線（４１）同士が非平行である。
【００３８】
この態様によれば、目地（６）の傾斜が更に目立ちにくくなる。
【００３９】
第３の態様に係る建築板（１）は、第１又は２の態様において、前記直線状の境界線（４１）は、前記直線状の境界線（４１）と隣接する前記目地（６）に対して、非平行となる区間（４１１）及び平行となる区間（４１２）を含む。
【００４０】
この態様によれば、目地（６）の傾斜が更に目立ちにくくなる。
【００４１】
第４の態様に係る建築板は、第１〜３のいずれかの態様において、前記目地（６）は、縦目地（６１）と、横目地（６２）とで構成される。前記縦目地（６１）及び前記横目地（６２）の少なくともいずれかは、直線上に連なっていない。
【００４２】
この態様によれば、目地（６）の傾斜が更に目立ちにくくなる。
【００４３】
第５の態様に係る建築板は、第１〜４のいずれかの態様において、前記非平行となる区間（４１１）において、前記直線状の境界線（４１）と、前記直線状の境界線（４１）と隣接する前記目地（６）とのなす角度（θ）が、前記目地（６）の延びる方向に対して、−３度以上＋３度以下の範囲内である。
【００４４】
この態様によれば、目地（６）の傾斜が更に目立ちにくくなる。
【符号の説明】
【００４５】
１  建築板
２  平板部
３  凸部
３１  意匠面
３２  側面
４  境界線
４１  直線状の境界線
４１１  非平行となる区間
４１２  平行となる区間
６  目地
６１  縦目地
６２  横目地
θ  角度
【図１】
2020139294.tif 000003